(57)【特許請求の範囲】
【請求項１】
ハンドミキサーを正面に保持するハンドミキサーのスタンドであって、ハンドミキサーの本体は細長く形成され、把持部を有する本体内にモータが内蔵され、該モータによって駆動される少なくとも１つの回転軸を有し、該回転軸は前記本体に回転可能に軸受けされているか又はこの本体に結合された外筒体に軸受けされていて、回転軸の端部に食品を加工するための加工具が装着されるハンドミキサーであり、スタンドは、このハンドミキサーを後傾させ且つ浮かせた状態で保持する保持構造を有する保持部と、この保持部の下方の中間部と、この中間部の下方の基部とを含んで成り、前記保持部、中間部及び基部は垂直に延びる同じ円筒を基礎とし、中間部と基部の正面部は半割り筒状をなして一体に形成され、前記保持部は中間部と一体に形成され且つその基本的な形状は中間と同じように半割りの筒状であって、保持部の正面に、中間部上端から一体に連なる後傾斜面が形成され、この後傾斜面にハンドミキサー本体を保持する保持凹部が設けられており、附属品である筒状の粉砕容器が収納可能である収納部が基部に設けられ、粉砕容器を収納部に収納可能にするスペースが中間部の表面の内側に存在することを特徴とするスタンド。
【発明の詳細な説明】
【技術分野】
【０００１】
本発明は、一般家庭で使用されるハンドミキサーのスタンドに関する。
【背景技術】
【０００２】
従来のハンドミキサーのスタンドは、円筒状の容器の上に蓋を装着し、蓋に設けられた嵌合孔からハンドミキサーの軸部を挿入し、嵌合孔の縁でハンドミキサーの本体の下部を支持する構成である（例えば、特許文献１参照。）。また、特許文献を発見することができなかったが、スタンドを斜めの平板状に形成し、ハンドミキサーの本体を抱くように保持する保持凹部を平板状スタンドに形成し、ハンドミキサーを斜めの状態で支持するスタンドも存在している。
【特許文献１】実用新案登録第３０８４９８６号公報
【発明の開示】
【発明が解決しようとする課題】
【０００３】
通常、ハンドミキサーの先端には食品等を粉砕又は攪拌するためのいくつかの種類の加工具を着脱自在に取り付けるので、それらの加工具を収納する場所がスタンドに設けられていれば便利である。また、例えば茶葉などを粉末状に粉砕するときに粉砕専用の粉砕容器が用いられるが、その粉砕容器も加工具と同様に収納できれば便利である。また、それらの収納部を設けたときにスタンド全体がコンパクトであれば、台所等で使用するときに便利である。上記特許文献に示されたスタンドは比較的コンパクトであるが、加工具や粉砕容器を収納する場所がない。また、前述した平板状のスタンドは安定性を得るために横幅が広く形成されていて全体的にコンパクトでない。いくらかコンパクトにするために底部に収納された粉砕容器は使用状態である縦置きでなく横置きで収納されているから、粉砕容器が取り出しづらいのである。そこで本発明は、加工具や粉砕容器の収納部を備えていて全体的にコンパクトであり、しかも粉砕容器を縦置きで収納できるスタンドを提供することを目的とする。
【課題を解決するための手段】
【０００４】
本発明の請求項１は、ハンドミキサーを正面に保持するハンドミキサーのスタンドであって、ハンドミキサーの本体は細長く形成され、把持部を有する本体内にモータが内蔵され、該モータによって駆動される少なくとも１つの回転軸を有し、該回転軸は前記本体に回転可能に軸受けされているか又はこの本体に結合された外筒体に軸受けされていて、回転軸の端部に食品を加工するための加工具が装着されるハンドミキサーであり、スタンドは、このハンドミキサーを後傾させ且つ浮かせた状態で保持する保持構造を有する保持部と、この保持部の下方の中間部と、この中間部の下方の基部とを含んで成り、前記保持部、中間部及び基部は垂直に延びる同じ円筒を基礎とし、中間部と基部の正面部は半割り筒状をなして一体に形成され、前記保持部は中間部と一体に形成され且つその基本的な形状は中間と同じように半割りの筒状であって、保持部の正面に、中間部上端から一体に連なる後傾斜面が形成され、この後傾斜面にハンドミキサー本体を保持する保持凹部が設けられており、附属品である筒状の粉砕容器が収納可能である収納部が基部に設けられ、粉砕容器を収納部に収納可能にするスペースが中間部の表面の内側に存在する構成である。
【発明の効果】
【０００５】
請求項１は、ハンドミキサーを後傾させ且つ浮かせた状態で保持する保持構造を有する保持部と、この保持部の下方の中間部と、この中間部の下方の基部とを含んで成り、前記保持部、中間部及び基部は垂直に延びる同じ円筒を基礎とし、中間部と基部の正面部は半割り筒状をなして一体に形成され、前記保持部は中間部と一体に形成され且つその基本的な形状は中間と同じように半割りの筒状であって、保持部の正面に、中間部上端から一体に連なる後傾斜面が形成され、この後傾斜面にハンドミキサー本体を保持する保持凹部が設けられており、附属品である筒状の粉砕容器が収納可能である収納部が基部に設けられ、粉砕容器を収納部に収納可能にするスペースが中間部の表面の内側に存在する構成である。本発明で使用されるハンドミキサーは外筒体よりもモータを内蔵する本体の方が圧倒的に重い。したがって、本発明では保持されたハンドミキサーの重心は中間部及び基部の中央正面よりも後方にあって、重心は中間部及び基部の表面で囲われた内部に存在することになり、ハンドミキサーを安定的に保持できる。また、附属品である筒状の粉砕容器が収納可能である収納部が基部に設けられ、粉砕容器を収納部に収納可能にするスペースが中間部の表面の内側に存在する。したがって、基部に附属品等の収納部が設けられているから使用するにあたって便利である。また、粉砕容器は中間部の表面のなす空間に入り込んで収納されるから、スタンド全体をコンパクトにすることができる。
【発明を実施するための最良の形態】
【０００６】
次に本発明を実施するための最良の形態について説明する。図1に示すようにハンドミキサー１の本体２は細長く形成され、モーターが内蔵されている。本体２の先端から外筒体３が延びており、モーターの駆動力を食品等の加工具４に伝えて回転させる回転軸がその外筒体３の中に挿通されている。本体２の上部はその両側面から背面にかけて細く絞られた形状に形成され、その部分が把持部５である。把持部５の正面には２つのスイッチ６，７が設けられている。スイッチ６，７を押さない状態ではモーターは回転しない。スイッチ６を押すと回転軸４が低速回転し、スイッチ７を押すと回転軸が高速回転するように構成されている。なお、図示しないが本体２の背面の上端からは電気コードが延びて１００Ｖの交流電気を使用することができる。外筒体３はパイプ状の金属で形成されており、その端部に金属で形成された円形傘状の保護キャップ８が設けられている。保護キャップ８の外周付近の下面には下向きの爪部９が３つ設けられている。
【０００７】
図２に示すようにスタンド１０は、ハンドミキサー１の保持構造を有する保持部１１と、その下方の中間部１２と、その下方の基部１３を含んでいる。図３に示すように基部１３は円形をなしており、附属品を収納するための収納部１４が設けられている。収納部１４の内面であって開放口よりもやや下方に、その内面の内周に沿って支持部１５が形成されている。この支持部１５は、図１に示すように収納部１４内に粉砕容器１６を挿入したときに、その粉砕容器１６を支持部１５で受けることによって収納部１４内に完全に収納せず、粉砕容器１６の下方に他の附属品を収納できる空間を確保するためのものである。粉砕容器１６は粉砕羽根を回転させて茶葉を粉末にするときなどに使用するものであって、粉砕羽根を回転させるために円形に形成された容器本体に蓋が被せてある。粉砕容器１６の底部が全体的に平面であるときは、前述した支持部１５の全長に亘って粉砕容器１６を支持する。粉砕容器１６の底部の周囲にいくつかの凹所を設け、支持部１５は連続したものでなくその凹所に合致するようないくつかの突起にしてもよい。この構成によれば粉砕容器１６の回転止めとなる。
【０００８】
中間部１２は半割りの筒状をなしており、基部の正面部１７と一体に形成されている。中間部１２は板状であるから中間部１２で囲まれたスペース１８が形成され、そのスペース１８を利用して前述した粉砕容器１６を収納部１４に収納することができる。収納された粉砕容器１６の周面の半分は露出するので、その周面をつかむことによって粉砕容器１６を収納部１４から容易に取り出すことができて便利である。
【０００９】
保持部１１は前記した中間部１２と一体に板状に形成されており、基本的な形状は中間部１２と同じように半割りの筒状であるが、正面はやや斜め上方を向く平らな傾斜面１９に形成され、その中央に保持凹部２０が形成されている。このように保持部１１と中間部１２と基部１３は同じ円筒を基礎とし、粉砕容器１６もこの円筒の内部に含まれるのでスタンド全体が一つの筒状に形成されコンパクトにすることができる。保持凹部２０は、図１に示すようにハンドミキサーの本体２の下半分の半周面に亘って当接する形状に形成され、本体２の周囲は円形でなく前後方向にやや長い楕円形であるから、保持凹部２０もそれに合った形状に形成されている。
【００１０】
図２に示すように保持凹部２０の下端にストッパー２１が設けられている。このストッパー２１は保持凹部２０からはみ出すように前面側に突き出ている。保持凹部２０に保持されたハンドミキサーの本体２の端部がこのストッパー２１に当たることにより、ハンドミキサー１が支持されてずり落ちることがない。また、ストッパー２１の上方部を囲むように壁状のフランジ２２，２２が設けられている。このフランジ２２，２２もストッパー２１と同様に保持凹部２０から前面側に突き出ているので、保持されているハンドミキサーの本体２の下端付近を外側から覆っている。したがって、フランジ２２，２２がない場合には、後傾状態で保持されているハンドミキサー１が正面側に倒れ込んで保持凹部２０から外れる虞があるが、フランジ２２，２２の係止作用によってハンドミキサー１が正面側に倒れ込むことがないので、ハンドミキサー１が保持凹部２０から外れることがない。
【００１１】
また、ストッパー２１よりも下方には外筒体保持凹部２３が設けられており、この外筒体保持凹部２３の上部両側には前面側に突き出た側壁２６，２６も形成されている。この側壁２６，２６によって外筒体３が左右にぶれることを防止できる。
【００１２】
基部１３の下側には円形の台座２４が取り付けられ、スタンド１０は台座２４に対して回動自在である。スタンド１０の安定性を増すために台座２４は基部１３よりも大きな円形である。そこでその台座２４を覆うための同じ直径の基部フランジ２５が基部１３の下端周囲に設けられている。
【図面の簡単な説明】
【００１３】
【図１】本発明の使用状態を示す側面図
【図２】本発明を前面側から見た斜視図
【図３】本発明を後側から見た斜視図
【図４】本発明の側面図
【符号の説明】
【００１４】
１  ハンドミキサー
２  本体
３  外筒体
４  加工具
５  把持部
６  スイッチ
７  スイッチ
８  保護キャップ
９  爪部
１０  スタンド
１１  保持部
１２  中間部
１３  基部
１４  収納部
１５  支持部
１６  粉砕容器
１７  基部の正面部
１８  スペース
１９  傾斜面
２０  保持凹部
２１  ストッパー
２２  フランジ
２３  外筒体保持凹部
２４  台座
２５  基部フランジ
２６  側壁
【図１】
0004072480.tif 000002
【図２】
0004072480.tif 000003
【図３】
0004072480.tif 000004
【図４】
0004072480.tif 000005